(57)【特許請求の範囲】
【請求項１】
前端に空気の吹出口を有する筒状の枠体（3）と、
上記枠体（3）内部に互いに平行に配設され、それぞれ所定の第１方向に延びる第１軸（A）周りに回動可能な複数の前ブレード（5,5,…）と、
上記枠体（3）内部の前ブレード（5,5,…)よりも後側に互いに平行に配設され、それぞれ上記第１方向と交差する第２方向に延びる第２軸（B）周りに回動可能な複数の後ブレード（7,7,…)と、
上記複数の前ブレード（5,5,…)及び上記複数の後ブレード（7,7,…）を回動させる回動機構（9）とを備え、
上記複数の後ブレード（7,7,…)の１つには、前方に開口する切欠部（75）が形成され、
上記切欠部（75）には、当該切欠部（75）の周縁部における上記第２方向の一方側と他方側とを接続するガイド柱（79）が設けられ、
上記回動機構（9）は、上記複数の前ブレード（5,5,…)の１つに第１方向にスライド移動可能に取り付けられる操作ノブ（91）と、上記ガイド柱（79）と係合するリンクアーム（93）とを有し、
上記操作ノブ（91）及びリンクアーム（93）は、上記第１軸（A）と平行な第３軸（C）周りに互い回動可能に連結され、
上記操作ノブ（91）の第３軸（C）周りの回動により、当該操作ノブ（91）が取り付けられた前ブレード（5）が第１軸（A）周りに回動し、それに連動して他の全ての前ブレード（5,5,…)が第１軸（A）周りに回動する一方、上記操作ノブ（91）の第１方向へのスライド移動により、その移動力が上記リンクアーム（93）を介して上記ガイド柱（79）が設けられた後ブレード（7）に伝動して該後ブレード（7）が第２軸（B）周りに回動し、それに連動して他の全ての後ブレード（7,7,…)が第２軸（B）周りに回動するように構成されたレジスタであって、
上記リンクアーム（93）は、上記第１方向における両側に、前方に向かって延出する延出部（93c,93c）をそれぞれ有すると共に、これら２つの延出部（93c,93c）の間に、前方に向かって突出する位置決め部（93b）を有し、
上記操作ノブ（91）は、後端部に、上記第１方向における嵌合構造により互いに異なる上記延出部（93c,93c）と上記第３軸（C）周りに回動可能に連結される２つの連結片（91b,91b）を上記第１方向に離間して有すると共に、これら２つの連結片（91b,91b）の間に、後方に向かって突出し且つ上記位置決め部（93b）を挟むことで該位置決め部（93b）の上記第１方向における移動を規制する２つの規制突起（91d,91d）を有し、
上記切欠部（75）の周縁部には、互いに上記第２方向に対向する一対の張出部（77,77）が形成され、
上記リンクアーム（93）の後端部には、上記両張出部（77,77）に摺動可能に常時当接する円盤状の摺接部（93f）が設けられていることを特徴とするレジスタ。
【請求項２】
請求項１に記載のレジスタにおいて、
上記リンクアーム（93）は、上記ガイド柱（79）を挟んで第１方向の両側に配設され且つそれぞれの後端部に上記摺接部（93f）が設けられた一対の脚部（93a,93a）を有していることを特徴とするレジスタ。
【請求項３】
請求項２に記載のレジスタにおいて、
上記延出部（93c）は、上記脚部（93a）から上記第１方向に延出した後に前方に向かって延出する形状を有し、
上記延出部（93c）のうち上記第１方向に延出した部分と上記脚部（93a）及び摺接部（93f）とは、補強リブで連結されていることを特徴とするレジスタ。
【発明の詳細な説明】
【技術分野】
【０００１】
本発明は、例えば自動車の車室内の換気や空調の空気吹出部に使用されるレジスタに関する。
【背景技術】
【０００２】
従来より、自動車のインストルメントパネル等に配設され、例えば空調装置で調節された調和空気を車室内に吹き出す空気吹出部に使用されるレジスタが知られている。
【０００３】
例えば特許文献１には、略矩形筒状の枠体内部に互いに平行に配設され、左右方向に延びる軸周り（つまり、上下方向）に回動可能な複数の前ブレードと、枠体内部の前ブレードよりも後側に互いに平行に配設され、上下方向に延びる軸周り（つまり、左右方向）に回動可能な複数の後ブレードとを備えたレジスタが開示されている。そして、複数の後ブレードの１つには、前方に開口する切欠部が設けられ、該切欠部には当該切欠部の周縁部における上側部分と下側部分とを接続するガイド柱が設けられている。また、このレジスタは、複数の前ブレードの１つに左右方向にスライド移動可能に装着された操作ノブと、該操作ノブに嵌め込まれる連結部材と、ガイド柱と係合するリンクアームとを備えている。そして、操作ノブと一体化された連結部材及びリンクアームは、上下方向に互いに回動可能に嵌合連結されている。リンクアームは、ガイド柱を挟んで左右両側に配設される略矩形板状の一対の脚部を有する。
【０００４】
このレジスタでは、使用者が操作ノブを上下方向に回動させると、操作ノブが装着された前ブレードが上下方向に回動し、それに連動して他の全ての前ブレードが上下方向に回動する一方、使用者が操作ノブを左右方向にスライド移動させると、その移動力がリンクアームの一対の脚部からガイド柱が設けられた後ブレードに伝動して該後ブレードが左右方向に回動し、それに連動して他の全ての後ブレードが左右方向に回動する。これにより、空気の吹出方向を上下左右に調整することができるようになっている。
【先行技術文献】
【特許文献】
【０００５】
【特許文献１】特許第４１１８１９８号公報（第４〜６頁、図１〜７）
【発明の概要】
【発明が解決しようとする課題】
【０００６】
しかしながら、前記特許文献１のレジスタでは、使用者が操作ノブを上下方向に回動させたときに、操作ノブと一体となってリンクアームも上下方向に回動するように構成されている。こうした構成では、リンクアームと切欠部周縁部との間に常時、上下方向の隙間が形成される。そのため、例えば摩耗によりリンクアームと連結部材との連結が緩んだときには、空調装置からの調和空気等によりリンクアームが連結部材との連結部を支点として上下方向に回動して切欠部内でバタつき、それによって異音が発生する虞がある。
【０００７】
本発明は、かかる点に鑑みてなされたものであり、その目的とするところは、操作ノブを操作することにより調和空気等の吹出方向を調節することができるレジスタにおいて、操作ノブに回動可能に連結されたリンクアームのバタつきを防止することである。
【課題を解決するための手段】
【０００８】
上記課題を解決するために、本発明では、後ブレードの切欠部の周縁部に張出部を設けると共に、リンクアームの後端部に該張出部と摺動可能に常時当接する円盤状の摺接部を設けた。
【０００９】
具体的には、第１の発明では、前端に空気の吹出口を有する筒状の枠体と、上記枠体内部に互いに平行に配設され、それぞれ所定の第１方向に延びる第１軸周りに回動可能な複数の前ブレードと、上記枠体内部の前ブレードよりも後側に互いに平行に配設され、それぞれ上記第１方向と交差する第２方向に延びる第２軸周りに回動可能な複数の後ブレードと、上記複数の前ブレード及び上記複数の後ブレードを回動させる回動機構とを備え、上記複数の後ブレードの１つには、前方に開口する切欠部が形成され、上記切欠部には、当該切欠部の周縁部における上記第２方向の一方側と他方側とを接続するガイド柱が設けられ、上記回動機構は、上記複数の前ブレードの１つに第１方向にスライド移動可能に取り付けられる操作ノブと、上記ガイド柱と係合するリンクアームとを有し、上記操作ノブ及びリンクアームは、上記第１軸と平行な第３軸周りに互いに回動可能に連結され、上記操作ノブの第３軸周りの回動により、当該操作ノブが取り付けられた前ブレードが第１軸周りに回動し、それに連動して他の全ての前ブレードが第１軸周りに回動する一方、上記操作ノブの第１方向へのスライド移動により、その移動力が上記リンクアームを介して上記ガイド柱が設けられた後ブレードに伝動して該後ブレードが第２軸周りに回動し、それに連動して他の全ての後ブレードが第２軸周りに回動するように構成されたレジスタを対象とし、上記リンクアームは、上記第１方向における両側に、前方に向かって延出する延出部をそれぞれ有すると共に、これら２つの延出部の間に、前方に向かって突出する位置決め部を有し、上記操作ノブは、後端部に、上記第１方向における嵌合構造により互いに異なる上記延出部と上記第３軸回りに回動可能に連結される２つの連結片を上記第１方向に離間して有すると共に、これら２つの連結片の間に、後方に向かって突出し且つ上記位置決め部を挟むことで該位置決め部の上記第１方向における移動を規制する２つの規制突起を有し、上記切欠部の周縁部には、互いに上記第２方向に対向する一対の張出部が形成され、上記リンクアームの後端部には、上記両張出部に摺動可能に常時当接する円盤状の摺接部が設けられていることを特徴とする。
【００１０】
第２の発明では、第１の発明において、上記リンクアームは、上記ガイド柱を挟んで第１方向の両側に配設され且つそれぞれの後端部に上記摺接部が設けられた一対の脚部を有していることを特徴とする。
【００１１】
第３の発明では、第２の発明において、上記延出部は、上記脚部から上記第１方向に延出した後に前方に向かって延出する形状を有し、上記延出部のうち上記第１方向に延出した部分と上記脚部及び摺接部とは、補強リブで連結されていることを特徴とする。
【発明の効果】
【００１２】
第１の発明によると、リンクアームの摺接部が一対の張出部に常時当接しているため、リンクアームの切欠部内における第２方向の移動を防止することができる。従って、リンクアームのバタつきを防止することができる。
【００１３】
また、リンクアームの摺接部が円盤状に形成されているため、リンクアームの摺接部と一対の張出部とがスムーズに摺動し得る。これにより、良好な操作感を確保し得る。
【００１４】
第２の発明によると、リンクアームの一対の脚部がガイド柱を挟んで第１方向の両側に配設されているため、操作ノブの第１方向へのスライド移動により、その移動力がリンクアームの一対の脚部からガイド柱が設けられた後ブレードに伝動して該後ブレードを第１方向に回動させることができる。また、一対の脚部それぞれに摺接部が設けられているため、両脚部の摺接部によりリンクアームのバタつきを防止することができる。
【図面の簡単な説明】
【００１５】
【図１】本発明の実施形態に係るレジスタの概略斜視図である。
【図２】回動機構の周辺部の斜視図である。
【図３】後ブレードの斜視図である。
【図４】操作ノブの斜視図である。
【図５】リンクアームの斜視図である。
【図６】レジスタの動作説明図である。
【発明を実施するための形態】
【００１６】
以下、本発明の実施形態を図面に基づいて詳細に説明する。尚、以下の好ましい実施形態の説明は、本質的に例示に過ぎない。
【００１７】
（レジスタの構成）
図１は、本発明の実施形態に係るレジスタ１の概略斜視図である。このレジスタ１は、例えば自動車のインストルメントパネル等に配設され、空調装置で調節された調和空気を車室内に吹き出す空気吹出部に使用されるものであり、調和空気の吹出方向を上下左右に調整する機能を有する。
【００１８】
レジスタ１は、後端部（図１の紙面奥側の端部）が図示しないエアダクトを介して空調装置（不図示）に接続されると共に前端部に空調装置で調節された空気の吹出口Ｓを有する略矩形筒状の枠体３を備える。
【００１９】
枠体３の前端部には、レジスタ１の前面を形成する略矩形状の化粧枠３１が取り付けられている。
【００２０】
化粧枠３１の下部には、枠体３内部に形成される空気通路を開閉するシャッタ（図示せず）を操作するための操作ダイヤル３３が設けられている。
【００２１】
枠体３内部の吹出口Ｓ付近には、左右方向に延びる複数（ここでは５つ）の板状の前ブレード５，５，・・・が互いに平行に配設されている。
【００２２】
各前ブレード５の左右両端部の前部には、図２に示すように、左右方向に突出する回動軸５１，５１が同軸上に設けられている。そうして、これら回動軸５１，５１が枠体３の左右側壁に回動可能に支持されていることより、各前ブレード５は、左右方向に延びる軸Ａ周り（つまり、上下方向）に回動可能になっている。従って、本実施形態では、左右方向が第１方向となり、軸Ａが第１軸となる。
【００２３】
各前ブレード５の右端部の略中央部には、突出部５３が設けられている。そして、５つの前ブレード５，５，・・・の突出部５３がリンク部材（不図示）で連結されていることにより、５つ全ての前ブレード５が連動して上下方向に回動するようになっている。
【００２４】
枠体３内部の前ブレード５よりも後側で且つ上記シャッタよりも前側には、上下方向に延びる複数（ここでは４つ）の板状の後ブレード７，７，・・・が互いに平行に配設されている。
【００２５】
各後ブレード７の上下両端部には、図２，３に示すように、上下方向に突出する回動軸７１が同軸上に設けられている。そして、これら回動軸７１，７１が枠体３の上下側壁に回動可能に支持されていることにより、各後ブレード７は、上下方向に延びる軸Ｂ周り（つまり、左右方向）に回動可能になっている。従って、本実施形態では、上下方向が第２方向となり、軸Ｂが第２軸となる。
【００２６】
各後ブレード７の下端部の後部には、突出部７３が設けられている。そして、４つの後ブレード７，７，・・・の突出部７３がリンク部材（不図示）で連結されていることにより、４つ全ての後ブレード７が連動して左右方向に回動するようになっている。
【００２７】
複数の後ブレード７，７，・・・の１つ（図１の右から２番目の後ブレード７）には、該後ブレード７の前端縁から後方に向かって切欠かれて前方に開口する切欠部７５が形成されている。
【００２８】
切欠部７５の周縁部の前端部近傍には、互いに上下方向に対向する一対のフランジ状の張出部７７，７７が設けられ、両張出部７７，７７の前端部近傍同士は、棒状のガイド柱７９により接続されている。こうして、切欠部７５の周縁部における上側と下側とがガイド柱７９により接続されている。
【００２９】
そうして、レジスタ１は、複数の前ブレード５，５，・・・を上下方向に、複数の後ブレード７，７，・・・を左右方向にそれぞれ回動させるための回動機構９をさらに備えている。
【００３０】
回動機構９は、レジスタ１の使用者が空気の吹出方向を調節する際に掴む操作ノブ９１と、後ブレード７のガイド柱７９と係合するリンクアーム９３とを有する。
【００３１】
操作ノブ９１には、図２，４に示すように、当該操作ノブ９１を左右方向に貫通するスリット９１ａが設けられている。操作ノブ９１は、スリット９１ａから４つの前ブレード５，５，・・・の１つ（図１の上から３番目の前ブレード５）に外挿され、該前ブレード５に左右方向にスライド移動可能に取り付けられている。
【００３２】
操作ノブ９１のスリット９１ａ下側の後端部には、リンクアーム９３を連結するための連結片９１ｂが左右両端部それぞれに設けられ、各連結片９１ｂには、後述するリンクアーム９３の連結突起９３ｄが嵌合する嵌合孔９１ｃが設けられている。
【００３３】
操作ノブ９１のスリット９１ａ下側の後端部における左右方向略中央部には、後方に向かって突出する２つの規制突起９１ｄ，９１ｄが離間して設けられている。
【００３４】
リンクアーム９３は、図２，５に示すように、二股状に形成されていて、左右方向に間隔を空けて設けられた一対の脚部９３ａ，９３ａと、これら一対の脚部９３ａ，９３ａの前端部同士を連結する位置決め部９３ｂと、各脚部９３ａの外側部分から左右方向に延出すると共に、その延出端部で屈曲して前方に向かって延出する延出部９３ｃ，９３ｃとを有する。
【００３５】
両延出部９３ｃ，９３ｃの前端部の外側部分には、左右方向に突出する連結突起９３ｄが同軸上に設けられている。そして、両延出部９３ｃ，９３ｃの前端部が連結片９１ｂと規制突起９１ｄとの間に配置され、両延出部９３ｃ，９３ｃの連結突起９３ｄ，９３ｄが嵌合孔９１ｃ，９１ｃに回動自在に嵌合されていることにより、操作ノブ９１とリンクアーム９３とが左右方向に延びる軸Ｃ周り（つまり、上下方向）に互いに回動可能に連結されている。従って、本実施形態では、軸Ｃが第３軸となる。
【００３６】
位置決め部９３ｂは、規制突起９１ｄ，９１ｄ間に配置されており、このことにより、位置決め部９３ｂと両規制突起９１ｄ，９１ｄとで、操作ノブ９１及びリンクアーム９３の左右方向の相対移動を規制し、操作ノブ９１とリンクアーム９３との連結が解除されることを防止している。
【００３７】
両脚部９３ａ，９３ａの間には、ガイド溝９３ｅが形成されていて、このガイド溝９３ｅにガイド柱７９が配設されている。換言すれば、両脚部９３ａ，９３ａは、ガイド柱７９を挟んで左右両側に配設されている。このようにして、リンクアーム９３とガイド柱７９が係合している。
【００３８】
各脚部９３ａの後端部には、円盤状の摺接部９３ｆが設けられ、各摺接部９３ｆは、後ブレード７の両張出部７７，７７に摺動可能に当接している。
【００３９】
（レジスタの動作）
次に、上記シャッタを開けた状態で調和空気の吹出方向を上下左右に調整する方法について説明する。
【００４０】
まず、調和空気の吹出方向を上下に調整する場合について、図６を参照しながら説明する。
【００４１】
前ブレード５が水平状態にあるとき（図６（ａ）の状態）から調和空気の吹出方向を下向きに調整するには、操作ノブ９１を下方向に回動させる。これにより、操作ノブ９１が装着された前ブレード５が該前ブレード５の前側部分が下側に、後側部分が上側になるように上記軸Ａ周りに回動し、それに連動して他の全ての前ブレード５，５，・・・も同様に、前側部分が下側に、後側部分が上側になるように回動する。このとき、リンクアーム９３と操作ノブ９１との連結部ＪＴ（連結片９１ｂと連結突起９３ｄ）が図６（ａ）に示す位置から斜め前方上側に移動するため、リンクアーム９３は、軸Ｃ周りに回動しながら前方に移動する。この際、リンクアーム９３の摺接部９３ｆは、後ブレード７の両張出部７７，７７と摺動しながら前方に移動する。こうして、図６（ｂ）に示す調和空気の吹出方向が下向きに調整された状態になる。
【００４２】
また、前ブレード５が水平状態にあるとき（図６（ａ）の状態）から調和空気の吹出方向を上向きに調整するには、操作ノブ９１を上記とは逆に上方向に回動させる。これにより、操作ノブ９１が装着された前ブレード５が該前ブレード５の前側部分が上側に、後側部分が下側になるように上記軸Ａ周りに回動し、それに連動して他の全ての前ブレード５，５，・・・も同様に、前側部分が上側に、後側部分が下側になるように回動する。このとき、リンクアーム９３と操作ノブ９１との連結部ＪＴが図６（ａ）に示す位置から斜め前方下側に移動するため、リンクアーム９３は、軸Ｃ周りに回動しながら前方に移動する。こうして、図６（ｃ）に示す調和空気の吹出方向が上向きに調整された状態になる。
【００４３】
一方、調和空気の吹出方向を左右に調整する際には、操作ノブ９１を左右方向にスライド移動させる。これにより、操作ノブ９１の移動力がリンクアーム９３の脚部９３ａからガイド柱７９が設けられた後ブレード７に伝動して該後ブレード７が軸Ｂ周り（左右方向）に回動し、それに連動して他の全ての後ブレード７が左右方向に回動し、調和空気の吹出方向が左右に調整される。
【００４４】
（実施形態の効果）
本実施形態のレジスタ１では、リンクアーム９３の両摺接部９３ｆ，９３ｆが両張出部７７，７７に常時当接している。そのため、操作ノブ９１の嵌合孔９１ｃやリンクアーム９３の連結突起９３ｄ，９３ｄが摩耗して、操作ノブ９１とリンクアーム９３との連結が緩んだとしても、空調装置からの調和空気等によりリンクアーム９３が軸Ｃ周り（上下方向）に回動して切欠部７５内でバタつくことはない。
【００４５】
また、上述したように、調和空気の吹出方向を調整する際にはリンクアーム９３の摺接部９３ｆと後ブレード７の両張出部７７，７７とが摺動するが、摺接部９３ｆが円盤状に形成されているため、（例えば、前ブレード５，５，・・・を極端に上向きや下向きにした場合であっても）摺接部９３ｆと両張出部７７，７７とはスムーズに摺動する。そのため、レジスタ１の使用者は、無理なく調和空気の吹出方向を調整することができ、良好な操作感を得ることができる。
【００４６】
《その他の実施形態》
本発明は、上記実施形態について、以下のような構成としてもよい。
【００４７】
即ち、操作ノブとリンクアームの連結構造は、上記に限られず、例えば、リンクアームの連結突起を延出部前端部の内側部分に設け、該延出部前端部を操作ノブの連結片外側に配置し、両延出部の連結突起を連結片の外側から嵌合孔に嵌合してもよい。
【００４８】
また、一対の張出部を切欠部の周縁部に沿って連続させて一体化してもよい。
【産業上の利用可能性】
【００４９】
本発明は、操作ノブを操作することにより調和空気等の吹出方向を調節することができるレジスタにおいて、操作ノブに回動可能に連結されたリンクアームのバタつきを防止することができる点で有用である。
【符号の説明】
【００５０】
１                レジスタ
３                枠体
５                前ブレード
７                後ブレード
７５              切欠部
７７              張出部
７９              ガイド柱
９                回動機構
９１              操作ノブ
９３              リンクアーム
９３ａ            脚部
９３ｆ            摺接部
Ａ                軸（第１軸）
Ｂ                軸（第２軸）
Ｃ                軸（第３軸）
【図１】
0005623939.tif 000002
【図２】
0005623939.tif 000003
【図３】
0005623939.tif 000004
【図４】
0005623939.tif 000005
【図５】
0005623939.tif 000006
【図６】
0005623939.tif 000007